(57)【特許請求の範囲】
【請求項１】
被掘削材に円形座を掘削する座掘りカッターにおいて、その回転軸線から放射状に延び、掘削刃を有する複数のアームを設け、各アームの外周面には円形座に対して摺動する振動抑制部を突出させ、前記振動抑制部は、ネジの頭部により構成され、その頭部の外周面が円形座の内周面に接触するものである座掘りカッター。
【請求項２】
振動抑制部は、アームに対して着脱可能である請求項１に記載の座掘りカッター。
【発明の詳細な説明】
【０００１】
【発明の属する技術分野】
本発明は、座掘りカッターに関するものである。
【０００２】
【従来の技術】
例えば、木造住宅に使用される木材にはボルトの頭部やナットを添え付けるための円形座が座掘りカッターにて掘削される。従来から、この座掘りカッターはその回転軸線から放射状に延びる複数のアームを備えており、各アームには掘削刃が設けられている。そして、円形座の座掘り加工をする際には、工具の回転軸に装着した座掘りカッターを回転駆動させると、そのアーム及び掘削刃が一体回転され、木材に円形座が掘削成形される。
【０００３】
【発明が解決しようとする課題】
ところが、従来の座掘りカッターにおいては、回転が安定しにくく、座掘りカッターが振動するおそれがあった。このように振動が生じると、作業性及び安全性が低下するとともに、高精度加工が不可能になる。
【０００４】
そこで、本発明は、座掘りカッターの振動を防止するとともに、高加工精度で掘削することを目的とする。
【０００５】
【課題を解決するための手段】
請求項１に記載の発明は、被掘削材に円形座を掘削する座掘りカッターにおいて、その回転軸線から放射状に延び、掘削刃を有する複数のアームを設け、各アームの外周面には円形座に対して摺動する振動抑制部を突出させ、振動抑制部は、ネジの頭部により構成され、その頭部の外周面が円形座の内周面に接触するものであることを要旨とする。
【０００６】
請求項２に記載の発明は、請求項１に記載の発明において、振動抑制部は、アームに対して着脱可能であることを要旨とする。
【０００７】
【発明の実施の形態】
以下、本発明を具体化した一実施形態を図面に基づいて説明する。
図１〜図３に示すように、座掘りカッター１は工具１１の駆動軸に着脱可能な筒部２を備えており、この筒部２の先端外側部にはその回転軸線から放射状に延びる複数（本実施形態では３つ）のアーム３が一体的に形成されている。各アーム３の底面には掘削刃４がネジ５により固定されている。各掘削刃４の刃先４ａはアーム３の底面から斜めに突出されている。又、一つのアーム３の先端面には木引き刃６がネジ７により固定されている。この木引き刃６の刃先６ａはアーム３の先端面から斜めに突出されている。
【０００８】
図１，図２，図４に示すように、各アーム３の底面には収容凹部８がそれぞれ形成され、各収容凹部８の内奥部には雌ネジ部９がそれぞれ形成されている。各雌ネジ部９には振動抑制部としてのネジ１０が着脱可能にそれぞれ螺合され、各ネジ１０の頭部１０ａは、短円柱状をなし、前記収容凹部８内に収容されている。各ネジ１０は各アーム３の回転方向と同一方向へ締付けられているため、アーム３の駆動中おいて螺退するおそれがない。そして、各ネジ１０の頭部１０ａの一部は、各アーム３の先端面から若干突出されている。
【０００９】
次に、上記のように構成された座掘りカッター１の作用について説明する。
図５に示すように、工具１１の駆動軸の先端に突設されたガイド棒１２を座掘りカッター１の筒部２に貫通させて連結固定する。この状態で、被掘削材としての木材１３に予め所定の角度で斜めに穿孔しておいた孔１４内にガイド棒１２を差し込む。そして、工具１１の駆動軸が回転されると、各アーム３が駆動されるのに伴い、各掘削刃４及び木引き刃６により、木材１３に円形座１５が掘削成形される。この掘削時において、ネジ１０の頭部１０ａの一部外周面が円形座１５の内周面を摺動するため、各アーム３の回転が安定する。ネジ１０の頭部１０ａが円形座１５の内周面との摺動摩擦によって磨耗した場合には、同ネジ１０を雌ネジ部９から螺退して取り外し、新しいネジ１０を雌ネジ部９に螺合する。
【００１０】
なお、図５は円形座１５が木材１３の表面に対して斜めに掘削される場合を示し、図６は円形座１５が木材１３の表面に対して直角方向に掘削される場合を示している。図６の場合は筒部２にドリル２０が固定される。
【００１１】
次に、本実施形態から見い出せる効果を以下に記載する。
・各アーム３に設けたネジ１０の頭部１０ａの一部が円形座１５の内周面を摺動するようにしたため、各アーム３の回転を安定させることができる。そのため、円形座１５の掘削時において座掘りカッター１が振動することがない。従って、その振動が工具に伝達されないので、作業性及び安全性の向上を図ることができるとともに、高精度掘削が可能になる。
【００１２】
・各ネジ１０は、各アーム３から着脱可能とされているため、各ネジ１０が磨耗しても新しいネジ１０に交換することができる。
・各アーム３に対して各ネジ１０を螺合関係により簡単に着脱できるため、ネジ１０の交換作業を迅速に済ませることができる。
【００１３】
・ネジ１０が円形座１５の内周面を滑動し、アーム３が円形座１５の内周面に接触することがないため、アーム３の磨耗を抑制してカッター１の長寿命化を図ることができる。
【００１４】
・ネジ１０として頭部１０ａの径の異なるものを選択すれば、円形座１５の内周面に対する接触圧を変えることができる。従って、木材の種類等に応じて最適な接触圧を確保できる。
【００１５】
なお、前記実施形態は次のように構成してもよい。
・各ネジ１０を省略し、その代わりに各アーム３の先端面に突設部を一体に形成すること。
【００１６】
次に、前記実施形態から把握できる請求項以外の技術的思想について、それらの効果とともに記載する。
（ａ）前記アームには収容部（収容凹部８）が形成され、この収容部内にはネジ（ネジ１０）の頭部（１０ａ）が収容されている座掘りカッター。この構成によれば、円形座を掘削している際に、ネジ自身の回転力でがたつくのを防止できる。
【００１７】
【発明の効果】
この発明は、以上のように構成されているため、次のような効果を奏する。
請求項１に記載の発明によれば、円形座を掘削する際に、振動抑制部が円形座の内周面に摺動するようにしたため、座掘りカッターが振動するのを防止できるとともに、高加工精度で掘削することができる。また、円形座の内周面に対する振動抑制部の接触圧を調節できる。
【００１８】
請求項２に記載の発明によれば、振動抑制部が磨耗した場合には、振動抑制部のみを交換すればよく、座掘りカッター全体を交換する必要がない。従って、メンテナンス費用を低くすることができる。
【図面の簡単な説明】
【図１】一実施形態を示す座掘りカッターの斜視図。
【図２】座掘りカッターの底面図。
【図３】図２のＡ−Ａ断面図。
【図４】図２のＢ−Ｂ断面図。
【図５】座掘りカッターの使用状態を示す斜視図。
【図６】座掘りカッターの別の使用状態を示す斜視図。
【符号の説明】
３…アーム、１０…ネジ（振動抑制部）、１３…木材（被掘削材）、１５…円形座
【図１】
0003977892.tif 000002
【図２】
0003977892.tif 000003
【図３】
0003977892.tif 000004
【図４】
0003977892.tif 000005
【図５】
0003977892.tif 000006
【図６】
0003977892.tif 000007